(57)【要約】【課題】外部信号であっても、通常再生か特殊再生かを判断して、信号処理に最適な回路定数やフィルタを選択できるようにする。【解決手段】コンポジット信号３１が、同期レベルにスレッシュレベルを合わせたコンパレータ１１に入力され、映像信号３２と同期信号３３に分離される。分離された同期信号３３は、積分器１３に入力され積分されることで、垂直同期信号３５として分離される。分離された垂直同期信号３５は、カウンタ１４へ入力され、垂直同期信号の数をカウントされ、垂直同期カウント値３６として、システムマイコン１５へ入力される。システムマイコン１５では、垂直同期信号の単位時間の数によって、非常に簡単に通常再生か特殊再生かを判定できる。判定した結果に従って、システムマイコン１５は、それぞれの再生状態に最適な条件を実現するパラメータを設定する。【選択図】      図１
2004153545.tif 000002
【特許請求の範囲】
【請求項１】
入力コンポジット信号から映像信号と同期信号を分離し、該同期信号から垂直期信号を抽出して単位時間当たりの垂直同期信号の数を計測する同期分離回路と、
前記映像信号に対して記録再生のための信号処理を行う画像処理回路と、
計測された前記垂直同期信号の数に基づいて、外部から入力された信号が通常再生のものであるのか、特殊再生のものであるのかを判定し、その判定結果に基づいて前記映像処理回路の特性に係わる各種のパラメータを処理に適するように設定する制御手段とを備えたことを特徴とする磁気記録再生装置。
【請求項２】
入力コンポジット信号から映像信号と同期信号を分離し、該同期信号から垂直期信号を抽出して単位時間当たりの垂直同期信号の数を計測する同期分離回路と、
前記映像信号に対してフィルタリングを行う複数のフィルタと、
前記フィルタを通過した前記映像信号に対して記録再生のための信号処理を行う画像処理回路と、
計測された前記垂直同期信号の数に基づいて、外部から入力された信号が通常再生のものであるのか、特殊再生のものであるのかを判定し、その判定結果に基づいて前記映像処理回路が処理を行うのに適する前記フィルタを選択させる制御手段とを備えたことを特徴とする磁気記録再生装置。
【請求項３】
前記同期分離回路は、
入力コンポジット信号を映像信号と同期信号に分離し、該同期信号のレベルを検出するコンパレータと、
前記同期信号から垂直同期信号を分離するための積分回路と、
単位時間当たりの垂直同期信号の数を計測するためのカウンタとを備えたことを特徴とする請求項１又は２記載の磁気記録再生装置。
【発明の詳細な説明】
【０００１】
【発明の属する技術分野】
本発明は、外部からコンポジットビデオ信号を入力して、記録再生を行う磁気記録再生装置に係り、特に入力部において、入力された信号の状態に応じ、適切な信号処理を行えるように回路内の種々な回路定数を変更することを目的とした磁気記録再生装置に関するものである。
【０００２】
【従来の技術】
ビデオ信号の処理において、通常再生時と、特殊再生時では、信号処理回路の最適な特性が違っている事が多く、従来は、通常再生に最適なパラメータで回路の定数を決めていたため、特殊再生時の画質の品位が良くなかったり、動作が不安定な部分があった。特開平１−９８３９１号公報（特許文献１参照）には、通常再生時と特殊再生時で２種類のフィルタを用意し、それを切り換えることで回路特性を変え、最適な回路定数を得る技術が開示されている。
【０００３】
図３は、この従来の磁気再生装置を示すブロック図である。磁気テープ４８上に記録された信号は、磁気ヘッド４７にて再生され、この再生信号はプリアンプ５６を介して高域通過フィルタであるＨＰＦ▲１▼５７とＨＰＦ▲２▼６０に供給され、ＦＭ輝度信号が分離される。このＦＭ輝度信号は、それぞれＦＭイコライザ回路▲１▼５８とＦＭイコライザ回路▲２▼６１を介してスイッチ５９に入力され、どちらかが選択される。システムコントローラ９１は、通常再生と特殊再生に応じて切換制御信号をアンド回路９２に出力する。また、パイロット信号判別回路８２はパイロット信号の位相から広帯域モードか狭帯域モードかを判定して切換制御信号をアンド回路９２に出力する。こうして、通常再生、特殊再生、広帯域モード及び狭帯域モードの組み合わせの中で、ＨＰＦ▲１▼５７とＨＰＦ▲２▼６０を通過した信号のうちで最適な方を選択する。
【０００４】
また、特開２０００−２０９６０９号公報（特許文献２参照）には、通常再生や特殊再生等のモードに応じた制御信号により、マルチプレクサが櫛型フィルタの前後３つの信号を選択し、ＡＰＣ制御するものが開示されている。
【０００５】
【特許文献１】
特開平１−９８３９１号公報（第７頁右上欄第４行目〜第７頁右上欄第１行目、第１図）
【特許文献２】
特開２０００−２０９６０９号公報（段落番号［００１２］〜［００２３］、図１〜図３、図８）
【０００６】
【発明が解決しようとする課題】
しかしながら、これらの従来の技術は、外部からの入力される映像信号に対して行われる処理ではなく、自らの持つ磁気ヘッドで再生された信号に関するものであり、通常再生か特殊再生かに判別に関しては、映像信号からの情報ではなく、操作者が、リモコンなどのスイッチを操作することによってシステムマイコンが得た情報に従って、フィルタなどを切り換えるようなものであった。そのため、外部から入力された信号がＶＣＲの通常再生のものであるか、或いは、早送り、巻き戻し、静止画など特殊再生信号であるかを判断し、回路内の色々な回路定数を切り換えることはなかった。
【０００７】
本発明の目的は、外部信号であっても、通常再生か特殊再生かを判断して、信号処理に最適な回路定数やフィルタを選択できる磁気記録再生装置を提供することにある。
【０００８】
【課題を解決するための手段】
本発明は、入力コンポジット信号から映像信号と同期信号を分離し、該同期信号から垂直期信号を抽出して単位時間当たりの垂直同期信号の数を計測する同期分離回路と、前記映像信号に対して記録再生のための信号処理を行う画像処理回路と、計測された前記垂直同期信号の数に基づいて、外部から入力された信号が通常再生のものであるのか、特殊再生のものであるのかを判定し、その判定結果に基づいて前記映像処理回路の特性に係わる各種のパラメータを処理に適するように設定する制御手段とを備えたことを特徴とする磁気記録再生装置である。
ここで、特殊再生とは、早送り再生、巻き戻し再生などをいう。
【０００９】
また、本発明は、コンポジット信号から映像信号と同期信号を分離し、該同期信号から垂直期信号を抽出して単位時間当たりの垂直同期信号の数を計測する同期分離回路と、前記映像信号に対してフィルタリングを行う複数のフィルタと、前記フィルタを通過した前記映像信号に対して記録再生のための信号処理を行う画像処理回路と、計測された前記垂直同期信号の数に基づいて、外部から入力された信号が通常再生のものであるのか、特殊再生のものであるのかを判定し、その判定結果に基づいて前記映像処理回路が処理を行うのに適する前記フィルタを選択させる制御手段とを備えたことを特徴とする磁気記録再生装置である。
【００１０】
ここで、前記同期分離回路は、入力コンポジット信号を映像信号と同期信号に分離し、該同期信号のレベルを検出するコンパレータと、前記同期信号から垂直同期信号を分離するための積分回路と、単位時間当たりの垂直同期信号の数を計測するためのカウンタとを備えたことを特徴とする。
【００１１】
本発明の磁気再生装置において、ビデオ信号は、早送り再生、巻き戻し再生のような時間軸方向が変化するような信号でもモニタに表示するため、水平周波数が常に１５．７５ＫＨｚ（３０フレーム×５２５本）となるように制御されていて、それ故、単位時間当たりの垂直同期の数が変化することになる。通常再生時、例えば、６０個の垂直同期が巻き戻し再生時には増加し、早送り再生の時には減少する。
【００１２】
外部から入力されたコンポジット信号を、例えば、同期信号分離回路のコンパレータに通すことで、同期信号を取り出し、取り出した同期信号を積分回路で、積分することで、水平同期信号を分離し、垂直同期信号を得ることができる。こうして同期分離回路は、得られた垂直同期信号の１秒間の本数をカウンタで計測し、制御手段に送る。
【００１３】
制御手段は、垂直同期信号数が６０本ならば、通常再生と判定する。それよりも数が多い場合は、特殊再生の巻き戻し再生と判定し、数が少ない場合は、早送り再生であると判定する。そして、この判定結果に従って、外部入力信号が通常再生か特殊再生かを制御手段へ渡し、制御手段で最適な回路定数になるように各種のパラメータを切り換える。また、別な一例としては、上記の同期分離回路で判定した結果を使い、外部入力信号が通常再生か特殊再生かをフィルタを切り換える。
【００１４】
【発明の実施の形態】
以下、本発明の実施の形態について図面を参照しながら説明する。
図１は、本発明に係る磁気記録再生装置の一実施形態を示すブロック図である。この磁気記録再生装置は、同期分離回路１０と、制御手段であるシステムマイコン１５と、映像処理回路１６とを備えた構成である。そして、同期分離回路１０は、コンパレータ１１と、微分器１２と、積分器１３と、カウンタ１４とからなる構成である。映像処理回路１６は、システムマイコン１５からの設定によって各種の映像処理に関する特性を変更できるＩＣを想定している。
【００１５】
コンポジット信号３１が、同期レベルにスレッシュレベルを合わせたコンパレータ１１に入力され、映像信号３２と同期信号３３に分離される。分離された同期信号３３は、微分器１２に入力され微分されることで、水平同期信号３４として分離される。また、分離された同期信号３３は、積分器１３に入力され積分されることで、垂直同期信号３５として分離される。
【００１６】
分離された垂直同期信号３５は、カウンタ１４へ入力され、垂直同期信号の数をカウントされ、垂直同期カウント値３６として、システムマイコン１５へ入力される。システムマイコン１５では、入力された垂直同期カウント値３６から１秒間当たりの垂直同期信号の数を計算し、通常再生時の値６０本ならば、入力されたコンポジット信号は通常再生状態であると判定する。６０本よりも多い場合には、巻き戻し再生状態であると判定し、少ない場合には、早送り再生状態であると判定する。このように、垂直同期信号の単位時間の数を計測することによって、非常に簡単に通常再生か特殊再生かを判定できる。
【００１７】
判定した結果に従って、システムマイコン１５は、それぞれの再生状態に最適な条件を実現するパラメータを設定する。この場合、システムマイコン１５は、不活性メモリ或いは、ＲＯＭの中に予め、各々の状態に関するパラメータを書き込んで置き、判定結果に従って、それを読み出して、映像処理回路１６のパラメータを所定の定数に設定する。ここで、映像処理回路１６のパラメータ（回路定数）とは、例えばＡＦＣ（Ａｕｔｏｍａｔｉｃ  Ｆｒｅｑｕｅｎｃｙ  Ｃｏｎｔｒｏｌ）に２種類の方式（適応型と固定型）があり、通常再生時は適応型を使用し、特殊再生時は固定型を使用する切換のためのパラメータである。あるいは、パラメータはクランプパルスの幅やタイミングであり、通常再生時と特殊再生時によって変更する。
【００１８】
すなわち、マイコンシステム１５は、垂直同期カウント値が６０本より多い場合は巻き戻し再生状態、垂直同期カウント値が６０本未満である場合は早送り再生状態、垂直同期カウント値が６０本である場合は、通常再生状態と判断し、映像処理回路１６のパラメータをそれぞれ最適な値に設定する。
【００１９】
このように、制御手段としてのシステムマイコンは、外部から入力されたコンポジット信号の動作状態を判定し、その動作状態に最適な回路特性になるよう映像処理回路のパラメータを調整することができるために、通常再生時、特殊再生時ともに、高画質と、安定した動作を得ることができる。
【００２０】
図２は、本発明に係る磁気記録再生装置の他の実施形態を示すブロック図である。この磁気記録再生装置は、図１に示した同期分離回路１０と、エンコーダ２１と、スイッチ２２と、第１のフィルタ２３、第２のフィルタ２４及び第３のフィルタ２５と、映像処理回路２６とから構成されている。
ここでの映像処理回路２６は、特にＩＣなどを想定してはいない。また同期分離回路１０の構成及び動作については、前述した内容と同様であるので説明を省略する。
【００２１】
垂直同期カウント値３２が、セレクトスイッチ２２の切換制御手段でもあるエンコーダ２４へ入力され、入力された垂直同期カウント値３２は、第１セレクト信号４１と第２セレクト信号４２にエンコードされる。例えば、単位時間当たり６０本の垂直同期信号がある場合は、第１セレクト信号４１はＨ（Ｈｉｇｈ）、第２セレクト信号４２はＬ（Ｌｏｗ）とする。６０本未満の場合は、第１セレクト信号４１はＬ、第２セレクト信号４２はＬとする。６１本以上の場合は、第１セレクト信号４１はＨ、第２セレクト信号４２はＨとする。その結果に従って、セレクトスイッチ２２で、フィルタ２３〜２５の選択先を変更し、単位時間当たり６０本の通常再生時は、通常再生の特性に合わせた第２フィルタ２４を選択する。６０本未満の場合は、特殊再生の早送り再生に最適化した第１フィルタ２３を選択する。６１本以上の場合は、特殊再生の巻き戻し再生に最適化した第３フィルタ２５を選択する。ここで、通常再生用の第２フィルタ２４に比較し、特殊再生用の第１フィルタ２３と第３フィルタ２５は、周波数特性において高域を落としたものを使用する。こうすることで同期分離においてはよい結果が得られることと、特殊再生においては画像が少々甘くなっても構わないからである。
【００２２】
こうして、エンコーダ２１が、外部から入力されたコンポジット信号の動作状態を判定し、セレクトスイッチ２２がその動作状態に最適なフィルタを選択することによって、通常再生時、特殊再生時ともに、高画質と安定した動作を得ることができる。
【００２３】
【発明の効果】
本発明によれば、外部から入力されたコンポジット信号の動作状態を判定し、その動作状態に最適な回路特性になるよう映像処理回路のパラメータを合わせたり、その動作状態に最適なフィルタを選択することによって、通常再生時、特殊再生時ともに、高画質と、安定した動作を得ることができる。
また、本発明によれば、コンパレータと積分器とカウンタと言う簡単な構成で外部から入力されたコンポジット信号の再生の状態を判定できるために、安価で回路を構成することができ、上記効果を実現できる。
【図面の簡単な説明】
【図１】本発明に係る磁気記録再生装置の一実施形態を示すブロック図である。
【図２】本発明に係る磁気記録再生装置の他の実施形態を示すブロック図である。
【図３】従来の磁気再生装置を示すブロック図である。
【符号の説明】
１０  同期分離回路
１１  コンパレータ
１２  微分器
１３  積分器
１４  カウンタ
１５  システムマイコン
１６  映像処理回路
２１  エンコーダ
２６  映像処理回路
２２  セレクトスイッチ
２３  第１フィルタ（早送り再生用）
２４  第２フィルタ（通常再生用）
２５  第３フィルタ（巻き戻し再生用）
３１  コンポジット信号
３２  映像信号
３３  同期信号
３４  水平同期信号
３５  垂直同期信号
３６  垂直同期カウント値
３７  各種パラメータセット値
３８  出力
４１  セレクト信号０
４２  セレクト信号１
【図１】
2004153545.tif 000003
【図２】
2004153545.tif 000004
【図３】
2004153545.tif 000005